(57)【要約】【課題】第１及び第２の配線基板を、夫々に取り付けられた第１及び第２のコネクタを用いて、確実に対面近接重ね合わせ連結による電気的相互接続状態におくことができるとともに、厚み寸法の低減を図ることができる配線基板連結装置を提供する。【解決手段】配線基板１２を伴ったプラグコネクタ１１と配線基板３２を伴ったリセプタクルコネクタ３１とを含み、プラグコネクタ１１が、絶縁ハウジング１３に固着されたプラグ側固定金属部材１５により両端部が支持された弾性可動係止部材１８を備え、リセプタクルコネクタ３１が、絶縁ハウジング３４に固着されたリセプタクル側固定金属部材３７に一対の係合部４０が形成されたものとされ、絶縁ハウジング３４が絶縁ハウジング１３に係合するとき、弾性可動係止部材１８の両端部がリセプタクル側固定金属部材３７に形成された一対の係合部４０に係合して絶縁ハウジング３４に対する係止状態をとる。【選択図】図８
2015076140.tif 000002
【特許請求の範囲】
【請求項１】
第１の絶縁ハウジング，各々が第１の配線基板に設けられた配線端子部に接続される基板接続部を有して上記第１の絶縁ハウジングに配列配置された複数の第１のコンタクト、及び、上記第１の絶縁ハウジングに固着されて該第１の絶縁ハウジングを上記第１の配線基板に固定する第１の固定金属部材を備えた第１のコネクタと、
上記第１の絶縁ハウジングとの係合状態をとる第２の絶縁ハウジング，各々が第２の配線基板に設けられた配線端子部に接続される基板接続部を有して上記第２の絶縁ハウジングに配列配置され、上記複数の第１のコンタクトに夫々接触接続される状態をとる複数の第２のコンタクト，上記第２の絶縁ハウジングに固着されて該第２の絶縁ハウジングを上記第２の配線基板に固定する第２の固定金属部材を備えた第２のコネクタと、
を含んで構成され、
上記第１のコネクタが、上記第１の絶縁ハウジングの長手方向に沿って伸び、両端部が上記第１の絶縁ハウジングにおける長手方向の両端部分に配された上記第１の固定金属部材の部分により支持されて、上記第１の絶縁ハウジングの長手方向に直交する方向に移動可能とされた弾性可動係止部材を備え、
上記第２のコネクタが、上記第２の絶縁ハウジングにおける長手方向の両端部分に配された上記第２の固定金属部材の部分の夫々に係合部が形成されたものとされ、
上記第１の固定金属部材の部分により支持された上記弾性可動係止部材の両端部が、上記第２の絶縁ハウジングが上記第１の絶縁ハウジングとの係合状態をとるとき、上記第２の固定金属部材の部分に形成された係合部に係合して上記第２の絶縁ハウジングに対する係止状態をとり、該係止状態をとるもとで上記弾性可動係止部材が上記第１の絶縁ハウジングの長手方向に直交する方向に移動せしめられるとき、上記第２の固定金属部材の部分に形成された係合部との係合を止めて上記第２の絶縁ハウジングに対する係止状態を解除することを特徴とする配線基板連結装置。
【請求項２】
上記第１の絶縁ハウジングにおける長手方向の両端部分に、上記弾性可動係止部材の両端部を上記第１の固定金属部材の部分と共に支持する支持部が設けられたことを特徴とする請求項１記載の配線基板連結装置。
【請求項３】
上記第１の固定金属部材の部分に上記弾性可動係止部材の両端部が夫々貫通する一対の係合支持部が形成されており、該一対の係合支持部によって上記弾性可動係止部材の両端部が夫々上記第１の絶縁ハウジングの長手方向に直交する方向に移動可能に支持されていることを特徴とする請求項１記載の配線基板連結装置。
【請求項４】
上記弾性可動係止部材が、弾性棒状材料が屈曲せしめられて形成され、上記第１の固定金属部材の部分に形成された一対の係合支持部によって夫々支持された上記両端部が、上記第１の固定金属部材の部分に対して弾性変位可能とされたことを特徴とする請求項３記載の配線基板連結装置。
【請求項５】
上記第２の絶縁ハウジングにおける長手方向の両端部分に、上記弾性可動係止部材の両端部が上記第２の絶縁ハウジングに対する係止状態をとるもとで上記弾性可動係止部材が上記第１の絶縁ハウジングの長手方向に直交する方向に移動せしめられるとき、上記弾性可動係止部材の両端部に当接係合して該両端部を上記第２の固定金属部材の部分に形成された係合部との係合を止めさせるべく弾性変位させるカム部が設けられていることを特徴とする請求項４記載の配線基板連結装置。
【請求項６】
上記第２の固定金属部材の部分に、上記弾性可動係止部材の両端部が上記第２の絶縁ハウジングに対する係止状態をとるもとで上記弾性可動係止部材が上記第１の絶縁ハウジングの長手方向に直交する方向に移動せしめられるとき、上記弾性可動係止部材の両端部に当接係合して該両端部を上記第２の固定金属部材の部分に形成された係合部との係合を止めさせるべく弾性変位させるカム部が設けられていることを特徴とする請求項４記載の配線基板連結装置。
【請求項７】
上記一対の係合支持部の夫々に、上記第２の固定金属部材の部分に形成された係合部に係合した上記弾性可動係止部材の端部を位置決めする第１の位置決め部と上記第２の固定金属部材の部分に形成された係合部との係合を止めた上記弾性可動係止部材の端部を位置決めする第２の位置決め部とが、設けられていることを特徴とする請求項３記載の配線基板連結装置。
【請求項８】
上記第２の固定金属部材の部分に形成された係合部が、上記第１の固定金属部材の部分により支持された上記弾性可動係止部材の両端部が夫々係合する一対の切欠きまたは透孔を成すものとされたことを特徴とする請求項１記載の配線基板連結装置。
【発明の詳細な説明】
【技術分野】
【０００１】
本願の特許請求の範囲に記載された発明は、二つの配線基板が相互に対面近接して重ね合わせられるもとで、各配線基板に設けられた配線端子部に電気的に相互接続された状態をとらせて両配線基板を連結する、配線基板連結装置に関する。
【背景技術】
【０００２】
携帯電話機等の比較的小型な電子機器においても、種々の電子部品が多数内蔵されるが、それらの電子部品の多くは複数の配線基板に実装されて、各々の機能を果たすものとされる。各種の電子部品が実装された複数の配線基板は、例えば、それらのうちの二つについて見ると、比較的小型な電子機器の内部という限られたスペースに収容されるにあたって占有容積をできるだけ小とすべく、一方が他方に対面近接して重ね合わせられる配置をとって相互連結されざるを得ないものとされる。このような二つの配線基板のうちの一方が他方に対面近接して重ね合わせられる連結態様を、以下においては対面近接重ね合わせ連結ということとする。
【０００３】
一般に、各々がフレキシブル印刷配線基板（ＦＰＣ）あるいはソリッド配線基板等とされる複数の配線基板の相互連結は、各配線基板にコネクタが取り付けられ、それらのコネクタが相互接続されることにより行われることが多く、二つの配線基板についての対面近接重ね合わせ連結をする場合においても、各配線基板に取り付けられるコネクタを用いることが考えられる。従来にあっては、二つの配線基板についての対面近接重ね合わせ連結をするためのコネクタを含んだ基板連結装置が幾つか提案されている（例えば、特許文献１及び特許文献２参照。）。
【０００４】
特許文献１に示される基板連結装置（基板対基板型コネクタシステム）は、第１の配線基板（基板(110))及び第２の配線基板（基板(210))が対面近接重ね合わせ連結の対象とされるもとで、第１の配線基板に取り付けられる第１のコネクタ（コネクタピース(100))と第２の配線基板に取り付けられる第２のコネクタ（コネクタピース(200))とを含んで構成されている。第１のコネクタは、ハウジング(130) に配列配置された複数の第１のコンタクト（コンタクト(120))を備えており、また、第２のコネクタは、ハウジング(230) に配列配置された複数の第２のコンタクト（コンタクト(220))を備えている。そして、複数の第１のコンタクトの夫々の先端部は、弾性変形を生じる略Ｕ字状に折り曲げられた部分を形成している。
【０００５】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトの夫々における略Ｕ字状に折り曲げられた部分を形成する先端部が、第２のコネクタが備える複数の第２のコンタクトのうちの対応するものに接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００６】
斯かる際、複数の第１のコンタクトの夫々の先端部が弾性変形を生じる略Ｕ字状に折り曲げられた部分を形成していて、斯かる先端部が、複数の第２のコンタクトのうちの対応するものに、弾性変形による接触圧を作用させるもとで接触接続されるので、複数の第１のコンタクトと複数の第２のコンタクトとの相互接続が確実に行われることが期待される。
【０００７】
また、特許文献２に示される基板連結装置（基板接続用コネクタ）は、第１の配線基板（プリント配線基板(26)) 及び第２の配線基板（プリント配線基板(22)) が対面近接重ね合わせ連結の対象とされるもとで、第１の配線基板に取り付けられる第１のコネクタ（雄型のコネクタ部(24)) と第２の配線基板に取り付けられる第２のコネクタ（雌型のコネクタ部(20)) とを含んで構成されている。第１のコネクタは、第１のハウジング（基台部(24M))に配列配置された複数の第１のコンタクト（コンタクト端子(28Ai),(28Bi))を備えており、また、第２のコネクタは、第２のハウジング（基台部(20M))に配列配置された複数の第２のコンタクト（コンタクト端子(34Ai),(34Bi))を備えている。そして、第１のコネクタにおいては、第１のハウジングに圧入された保持具(30)の嵌合部(30m) に爪部(30N) が形成されている状態、あるいは、第１のハウジングに爪部(30'N)が鋳込まれている状態がとられ、また、第２のコネクタにおいては、第２のハウジングに圧入された保持具(32)の弾性片(32mr)に突起部(32mn)が形成されている。
【０００８】
このようなもとで、第１の配線基板における第１のコネクタが取り付けられた面が第２の配線基板における第２のコネクタが取り付けられた面に対向するものとされて、第１の配線基板が第２の配線基板に対面近接して重ね合わせられる状態がとられ、それにより、第１のコネクタと第２のコネクタとが相互係合せしめられて、第１のコネクタが備える複数の第１のコンタクトが第２のコネクタが備える複数の第２のコンタクトに夫々接触接続される。それにより、第１のコネクタが備える複数の第１のコンタクトと第２のコネクタが備える複数の第２のコンタクトとが相互接続されて、第１の配線基板と第２の配線基板とについての対面近接重ね合わせ連結が行われる。
【０００９】
斯かる際、第１のコネクタにおける第１のハウジングに圧入された保持具(30)の嵌合部(30m) に形成された爪部(30N) 、あるいは、第１のハウジングに鋳込まれた爪部(30'N)が、第２のコネクタにおける第２のハウジングに圧入された保持具(32)の弾性片(32mr)に形成された突起部(32mn)に係合して、第１のコネクタにおける第１のハウジングの第２のコネクタにおける第２のハウジングからの離脱を阻止する。それにより、第１のコネクタが備える複数の第１のコンタクトと第２のコネクタが備える複数の第２のコンタクトとの相互接続状態が安定に維持され、その結果、第１の配線基板と第２の配線基板とについての対面近接重ね合わせ連結が安定に行われることが期待される。
【先行技術文献】
【特許文献】
【００１０】
【特許文献１】特開２０００−２６０５０９号公報（段落００３３〜００４３，図４, ５）
【特許文献２】特開２００４−５５３０６号公報（段落００２０〜００３１，００３４，図１〜８）
【発明の概要】
【発明が解決しようとする課題】
【００１１】
上述のような、従来提案されている、幾つかの、二つの配線基板についての対面近接重ね合わせ連結をするためのコネクタを含んだ基板連結装置にあっては、それらの夫々に次のような不都合が見られる。
【００１２】
先ず、特許文献１に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段が備えられていない。従って、例えば、相互係合した第１のコネクタと第２のコネクタとのうちのいずれか一方もしくは双方に不所望な外力が作用した場合に、第１のコネクタが備える複数の第１のコンタクトと第２のコネクタが備える複数の第２のコンタクトとの相互接続状態が不安定なものとなり、その結果、第１の配線基板と第２の配線基板とについての対面近接重ね合わせ連結が安定に行われなくなってしまう虞がある。
【００１３】
また、特許文献２に示される基板連結装置にあっては、第１のコネクタと第２のコネクタとが相互係合した状態のもとで、第１のコネクタにおける第１のハウジングの第２のコネクタにおける第２のハウジングからの離脱を阻止する機能を果たすロック手段あるいは係止手段として、第１のコネクタにおける第１のハウジングに圧入された保持具(30)の嵌合部(30m) に形成された爪部(30N) 、あるいは、第１のハウジングに鋳込まれた爪部(30'N)と、第２のコネクタにおける第２のハウジングに圧入された保持具(32)の弾性片(32mr)に形成され、それに爪部(30N) あるいは爪部(30'N)が係合する突起部(32mn)とが備えられている。しかしながら、爪部(30N) が形成された保持具(30)の嵌合部(30m) あるいは第１のハウジングに鋳込まれた爪部(30'N)及び突起部(32mn)が形成された保持具(32)の弾性片(32mr)の夫々の構造上、爪部(30N) あるいは爪部(30'N)の突起部(32mn)との係合は然程堅固なものとはされ得ず、それゆえ、例えば、相互係合した第１のコネクタと第２のコネクタとのうちのいずれか一方もしくは双方に比較的大なる外力が不所望に作用した場合には、爪部(30N) あるいは爪部(30'N)が突起部(32mn)との係合から外れてしまい、第１のコネクタが備える複数の第１のコンタクトと第２のコネクタが備える複数の第２のコンタクトとの相互接続状態が不安定なものとなり、その結果、第１の配線基板と第２の配線基板とについての対面近接重ね合わせ連結が安定に行われなくなる虞がある。
【００１４】
斯かる点に鑑み、本願の特許請求の範囲に記載された発明は、第１の配線基板と第２の配線基板とを対面近接重ね合わせ連結によって電気的に相互連結するための機構を成すものであって、第１の配線基板に固定される第１の絶縁ハウジングを有した第１のコネクタと第２の配線基板に固定される第２の絶縁ハウジングを有した第２のコネクタとを含んで構成され、第１のコネクタの第１の絶縁ハウジングと第２のコネクタの第２の絶縁ハウジングとが相互係合した状態のもとで、第２の絶縁ハウジングの第１の絶縁ハウジングからの不所望な離脱を阻止する係止手段を備え、斯かる手段により第１の絶縁ハウジングと第２の絶縁ハウジングとの相互係合状態を極めて安定かつ堅固に維持することができるとともに、極めて簡単で容易な操作により、第２の絶縁ハウジングを第１の絶縁ハウジングから無理なく離脱させることができ、しかも、第１及び第２の配線基板における相互対接面の夫々に直交する方向の厚み寸法の低減を図ることができる配線基板連結装置を提供する。
【課題を解決するための手段】
【００１５】
本願の特許請求の範囲における請求項１から請求項８までのいずれかに記載された発明（以下、本願発明という。）に係る配線基板連結装置は、第１の絶縁ハウジング，各々が第１の配線基板に設けられた配線端子部に接続される基板接続部を有して第１の絶縁ハウジングに配列配置された複数の第１のコンタクト、及び、第１の絶縁ハウジングに固着されて第１の絶縁ハウジングを第１の配線基板に固定する第１の固定金属部材を備えた第１のコネクタと、第１の絶縁ハウジングとの係合状態をとる第２の絶縁ハウジング，各々が第２の配線基板に設けられた配線端子部に接続される基板接続部を有して第２の絶縁ハウジングに配列配置され、複数の第１のコンタクトに夫々接触接続される状態をとる複数の第２のコンタクト，第２の絶縁ハウジングに固着されて第２の絶縁ハウジングを第２の配線基板に固定する第２の固定金属部材を備えた第２のコネクタとを含んで構成される。そして、このような本願発明に係る配線基板連結装置においては、第１のコネクタが、第１の絶縁ハウジングの長手方向に沿って伸び、両端部が第１の絶縁ハウジングにおける長手方向の両端部分に配された第１の固定金属部材の部分により支持されて、第１の絶縁ハウジングの長手方向に直交する方向に移動可能とされた弾性可動係止部材を備え、また、第２のコネクタが、第２の絶縁ハウジングにおける長手方向の両端部分に配された第２の固定金属部材の部分の夫々に係合部が形成されたものとされて、第１の固定金属部材の部分により支持された弾性可動係止部材の両端部が、第２の絶縁ハウジングが第１の絶縁ハウジングとの係合状態をとるとき、第２の固定金属部材の部分に形成された係合部に係合して第２の絶縁ハウジングに対する係止状態をとり、斯かる係止状態をとるもとで弾性可動係止部材が第１の絶縁ハウジングの長手方向に直交する方向に移動せしめられるとき、第２の固定金属部材の部分に形成された係合部との係合を止めて第２の絶縁ハウジングに対する係止状態を解除する。
【００１６】
上述のような本願発明に係る配線基板連結装置にあっては、第１の配線基板における第１のコネクタが有する第１のハウジングが固定された面が、第２の配線基板における第２のコネクタが有する第２のハウジングが固定された面に対向するものとされて、第１の配線基板が第２の配線基板に対面近接して重ね合わせられたとき、第１のハウジングと第２のハウジングとが、各々の長手方向を一致させたもとで相互係合状態をとる。このとき、第２のハウジングに配列配置された複数の第２のコンタクトが、第１のハウジングに配列配置された複数の第１のコンタクトに夫々接触接続される。それにより、第１のコネクタと第２のコネクタとが相互係合状態におかれて、第２の配線基板に設けられた複数の配線端子部が、複数の第２のコンタクト及び複数の第１のコンタクトを介して、第１の配線基板に設けられた複数の配線端子部に夫々接続され、その結果、第１の配線基板と第２の配線基板とが対面近接重ね合わせ連結によって電気的に相互連結される。
【００１７】
斯かる際、第１のコネクタが備える、第１の絶縁ハウジングの長手方向に沿って伸び、両端部が第１の絶縁ハウジングにおける長手方向の両端部分に配された第１の固定金属部材の部分により支持されて、第１の絶縁ハウジングの長手方向に直交する方向に移動可能とされた弾性可動係止部材が、その両端部を、第２のコネクタにおいて第２の絶縁ハウジングにおける長手方向の両端部分に配された第２の固定金属部材の部分に形成された係合部に係合させ、それにより、弾性可動係止部材の両端部が第２の絶縁ハウジングに対する係止状態をとる。弾性可動係止部材の両端部が第２の固定金属部材の部分に形成された係合部に係合した状態は、弾性可動係止部材が備える弾性によって解除されることなく維持され、それにより、弾性可動係止部材の両端部による第２の絶縁ハウジングに対する係止状態が安定に維持される。従って、第１のコネクタが備える弾性可動係止部材は、第２のコネクタにおける第２の絶縁ハウジングの第１のコネクタにおける第１の絶縁ハウジングからの不所望な離脱を阻止する係止手段を構成していることになる。
【００１８】
弾性可動係止部材の両端部を支持する第１の固定金属部材の部分には、例えば、弾性可動係止部材の両端部が夫々貫通する一対の係合支持部が形成されており、これらの一対の係合支持部によって弾性可動係止部材の両端部が夫々第１の絶縁ハウジングの長手方向に直交する方向に移動可能に支持されている。
【００１９】
その後、弾性可動係止部材の両端部が第２の固定金属部材の部分に形成された係合部に係合して第２の絶縁ハウジングに対する係止状態をとるもとで、弾性可動係止部材が第１の絶縁ハウジングの長手方向に直交する方向に移動せしめられるとき、弾性可動係止部材の両端部が、第２の固定金属部材の部分に形成された係合部との係合を止めて第２の絶縁ハウジングに対する係止状態を解除する。それにより、第２のコネクタにおける第２の絶縁ハウジングが、第１のコネクタにおける第１の絶縁ハウジングから離脱され得るものとされる。
【００２０】
斯かるもとにおいて、弾性可動係止部材は、例えば、弾性棒状材料が屈曲せしめられて形成され、第１の固定金属部材の部分に形成された一対の係合支持部によって夫々支持された両端部が、第１の固定金属部材の部分に対して弾性変位可能とされる。そして、第２の絶縁ハウジングにおける長手方向の両端部分、もしくは、第２の固定金属部材の部分には、例えば、カム部が設けられており、斯かるカム部は、弾性可動係止部材の両端部が第２の絶縁ハウジングに対する係止状態をとるもとで弾性可動係止部材が第１の絶縁ハウジングの長手方向に直交する方向に移動せしめられたとき、弾性可動係止部材の両端部に当接係合してそれらを第１の固定金属部材の部分に対して弾性変位させ、それにより弾性可動係止部材の両端部に第２の固定金属部材の部分に形成された係合部との係合を止めさせる。
【００２１】
さらに、第２の固定金属部材の部分に形成された係合部は、例えば、第１の固定金属部材の部分により支持された弾性可動係止部材の両端部が夫々係合する一対の切欠きまたは透孔を成すものとされる。
【発明の効果】
【００２２】
本願発明に係る配線基板連結装置にあっては、第１のコネクタと第２のコネクタとが相互係合した状態におかれ、第１の絶縁ハウジングと第２の絶縁ハウジングとが各々の長手方向を一致させたもとで相互係合状態をとり、第２の絶縁ハウジングに配列配置された複数の第２のコンタクトが第１の絶縁ハウジングに配列配置された複数の第１のコンタクトに夫々接触接続されたとき、第１のコネクタが備える弾性可動係止部材の両端部が第２の絶縁ハウジングに対する係止状態をとり、それにより、第２のコネクタにおける第２の絶縁ハウジングの第１のコネクタにおける第１の絶縁ハウジングからの不所望な離脱が阻止される。また、弾性可動係止部材の両端部が第２の絶縁ハウジングに対する係止状態をとるもとで、弾性可動係止部材が第１の絶縁ハウジングの長手方向に直交する方向に移動せしめられたとき、弾性可動係止部材の両端部が第２の絶縁ハウジングに対する係止状態を解除する。それにより、第２のコネクタにおける第２の絶縁ハウジングが、第１のコネクタにおける第１の絶縁ハウジングから離脱され得るものとされる。
【００２３】
第１のコネクタが備える弾性可動係止部材は、第１の絶縁ハウジングの長手方向に沿って伸び、両端部が第１の絶縁ハウジングにおける長手方向の両端部分に配された第１の固定金属部材の部分により支持されて、第１の絶縁ハウジングの長手方向に直交する方向に移動可能とされており、その両端部は、第２の絶縁ハウジングが第１の絶縁ハウジングとの係合状態をとるとき、第２の固定金属部材の部分に形成された係合部に係合する。弾性可動係止部材の両端部が第２の固定金属部材の部分に形成された係合部に係合した状態は、弾性可動係止部材が備える弾性によって解除されることなく維持され、それにより、弾性可動係止部材の両端部による第２の絶縁ハウジングに対する係止状態が安定に維持される。その後、弾性可動係止部材の両端部が第２の固定金属部材の部分に形成された係合部に係合したもとで、弾性可動係止部材が第１の絶縁ハウジングの長手方向に直交する方向に移動せしめられたとき、弾性可動係止部材の両端部が第２の固定金属部材の部分に形成された係合部との係合を止める。それにより、弾性可動係止部材の両端部による第２の絶縁ハウジングに対する係止状態が解除される。
【００２４】
従って、本願発明に係る配線基板連結装置によれば、第１のコネクタが備える弾性可動係止部材と第１の固定金属部材により支持された弾性可動係止部材の両端部が係合する第２のコネクタにおける第２の固定金属部材に形成された係合部とにより、第１のコネクタの第１の絶縁ハウジングと第２のコネクタの第２の絶縁ハウジングとの相互係合状態を極めて安定かつ堅固に維持することができるとともに、弾性可動係止部材を第１の絶縁ハウジングの長手方向に直交する方向に移動させるだけの極めて簡単で容易な操作によって、第２の絶縁ハウジングを第１の絶縁ハウジングから無理なく離脱させることができる。しかも、第１のコネクタが備える弾性可動係止部材が、第１の絶縁ハウジングの長手方向に沿って伸び、両端部が第１の絶縁ハウジングにおける長手方向の両端部分に配された第１の固定金属部材の部分により支持されて、第１の絶縁ハウジングの長手方向に直交する方向に移動可能なものとされることにより、第１の絶縁ハウジングが固定される第１の配線基板及び第２の絶縁ハウジングが固定される第２の配線基板における相互対接面の夫々に直交する方向の厚み寸法を低減することができ、第１の配線基板と第２の配線基板との間に配される第１のコネクタ及び第２のコネクタを含んだ装置全体の薄型化を図ることができることになる。
【図面の簡単な説明】
【００２５】
【図１】本願発明に係る配線基板連結装置の一例を構成するプラグコネクタを、その絶縁ハウジングが固定された第１の配線基板と共に示す斜視図である。
【図２】図１に示されるプラグコネクタと第１の配線基板とを示す平面図である。
【図３】本願発明に係る配線基板連結装置の一例を構成するリセプタクルコネクタを、その絶縁ハウジングが固定された第２の配線基板を仮想線によってあらわすもとで示す斜視図である。
【図４】図３に示されるリセプタクルコネクタと仮想線によってあらわされた第２の配線基板とを示す平面図である。
【図５】図３に示されるリセプタクルコネクタと第２の配線基板とを示す底面図である。
【図６】図１に示される第１の配線基板を伴ったプラグコネクタと図３に示される仮想線によってあらわされた第２の配線基板を伴ったリセプタクルコネクタとが相互対向配置された状態を示す斜視図である。
【図７】図１に示される第１の配線基板を伴ったプラグコネクタと図５に示される第２の配線基板を伴ったリセプタクルコネクタとが相互係合した状態を示す斜視図である。
【図８】図１に示される第１の配線基板を伴ったプラグコネクタと図５に示される第２の配線基板を伴ったリセプタクルコネクタとが相互係合した状態を、第２の配線基板を仮想線によってあらわすもとで示す斜視図である。
【図９】図１に示される第１の配線基板を伴ったプラグコネクタと図５に示される第２の配線基板を伴ったリセプタクルコネクタとが相互係合した状態を、第２の配線基板を除去して示す平面図である。
【図１０】図１に示される第１の配線基板を伴ったプラグコネクタと図５に示される第２の配線基板を伴ったリセプタクルコネクタとが相互係合した状態を示す正面図である。
【図１１】図１０におけるXI−XI線断面を示す断面図である。
【図１２】図９における XII−XII 線断面を示す断面図である。
【図１３】図１２における矩形枠Ｂ内を拡大して示す部分拡大断面図である。
【図１４】図８における矩形枠Ａ内を拡大して示す部分拡大斜視図である。
【図１５】図１に示される第１の配線基板を伴ったプラグコネクタと図５に示される第２の配線基板を伴ったリセプタクルコネクタとが相互対向配置された状態のもとにおける、プラグコネクタにおける弾性可動係止部材とリセプタクルコネクタにおける係合部との位置関係の説明に供される平面図である。
【図１６】図１に示される第１の配線基板を伴ったプラグコネクタと図５に示される第２の配線基板を伴ったリセプタクルコネクタとが相互係合したもとで、プラグコネクタにおける弾性可動係止部材の端部とリセプタクルコネクタにおける係合部との位置関係の説明に供される部分斜視図である。
【図１７】図１に示される第１の配線基板を伴ったプラグコネクタと図５に示される第２の配線基板を伴ったリセプタクルコネクタとが相互係合したもとで、プラグコネクタにおける弾性可動係止部材の端部とリセプタクルコネクタにおける係合部との位置関係の説明に供される部分断面図である。
【発明を実施するための形態】
【００２６】
本願発明を実施するための形態は、以下に述べられる本願発明に係る配線基板連結装置ついての実施例をもって説明される。
【実施例】
【００２７】
図１（斜視図）及び図２（平面図）は、本願発明に係る配線基板連結装置の一例を構成する第１のコネクタを成すプラグコネクタ１１及びプラグコネクタ１１が取り付けられた第１の配線基板１２を示す。プラグコネクタ１１は、合成樹脂等の絶縁材料によって形成された絶縁ハウジング１３（第１の絶縁ハウジング）を備えており、絶縁ハウジング１３は第１の配線基板１２における図１において上方に向いた面（以下、上面という）に固定されている。
【００２８】
絶縁ハウジング１３には、各々が弾性を有した導電性板材により形成された屈曲帯状部材を成す複数のプラグ側コンタクト１４（第１のコンタクト）が、夫々が絶縁ハウジング１３の長手方向に伸びる相互対向する２個の列を成して配列配置されている。複数のプラグ側コンタクト１４の夫々には、第１の配線基板１２の上面に設けられた配線端子部（図示が省略されている。）に接続される基板接続部１４ａと、後述される第２のコネクタを成すリセプタクルコネクタに備えられるリセプタクル側コンタクト（第２のコンタクト）に当接する接触接続部１４ｂとが、夫々帯状部材の両端部分を成すものとして設けられている。
【００２９】
また、絶縁ハウジング１３における長手方向の両端部分の夫々には、その外周面部を部分的に覆うプラグ側固定金属部材１５（第１の固定金属部材）が固着されている。プラグ側固定金属部材１５には、各々が第１の配線基板１２の上面に連結される複数の基板連結部１６が設けられている。そして、一対のプラグ側固定金属部材１５は、複数の基板連結部１６が第１の配線基板１２の上面に連結されたとき、それによって、絶縁ハウジング１３を第１の配線基板１２の上面に固定する。
【００３０】
上述のような絶縁ハウジング１３, 複数のプラグ側コンタクト１４及び一対のプラグ側固定金属部材１５を備えたプラグコネクタ１１は、さらに、絶縁ハウジング１３の長手方向、即ち、複数のプラグ側コンタクト１４に配列方向に沿って伸びる弾性可動係止部材１８を備えている。弾性可動係止部材１８は、その両端部を成す一対の端部１９が、絶縁ハウジング１３における長手方向の両端部分に夫々配された一対のプラグ側固定金属部材１５の側端部分２０によって夫々支持されており、絶縁ハウジング１３に対してその長手方向に直交する方向に移動可能とされている。弾性可動係止部材１８は、弾性を有した金属棒状材料等とされる弾性棒状材料が屈曲せしめられて形成され、一対のプラグ側固定金属部材１５の側端部分２０によって夫々支持された一対の端部１９の各々が、絶縁ハウジング１３の長手方向に直交する方向に移動可能であって、かつ、プラグ側固定金属部材１５の側端部分２０に対して絶縁ハウジング１３の長手方向に弾性変位可能とされている。
【００３１】
一対のプラグ側固定金属部材１５の側端部分２０の夫々には、係合支持部２１が形成されており、弾性可動係止部材１８の一対の端部１９の夫々が、係合支持部２１を絶縁ハウジング１３の長手方向に沿ってプラグ側固定金属部材１５の外側から内側に向かって貫通することにより、プラグ側固定金属部材１５の側端部分２０によって支持されている。弾性可動係止部材１８の一対の端部１９の夫々が、係合支持部２１を絶縁ハウジング１３の長手方向に沿ってプラグ側固定金属部材１５の外側から内側に向かって貫通する状態は、弾性可動係止部材１８の端部１９をプラグ側固定金属部材１５の外側から内側へと付勢する弾性可動係止部材１８が具える弾性によって、安定に維持される。また、係合支持部２１は絶縁ハウジング１３の長手方向に直交する方向に伸びるものとされており、それにより、係合支持部２１を絶縁ハウジング１３の長手方向に沿ってプラグ側固定金属部材１５の外側から内側に向かって貫通した弾性可動係止部材１８の端部１９は、係合支持部２１による案内を受けて絶縁ハウジング１３の長手方向に直交する方向に移動可能とされている。その結果、弾性可動係止部材１８の全体が、絶縁ハウジング１３に対してその長手方向に直交する方向に移動可能とされていることになる。
【００３２】
また、一対のプラグ側固定金属部材１５の側端部分２０の内側に夫々配された、絶縁ハウジング１３における両端部分に含まれる一対の側板状部の夫々には、プラグ側固定金属部材１５の側端部分２０に形成された係合支持部２１を貫通した弾性可動係止部材１８の端部１９をプラグ側固定金属部材１５の側端部分２０と共に支持する支持部２２が設けられている。
【００３３】
図２に示されるように、弾性可動係止部材１８における一対の端部１９の間の中間部分２３は、絶縁ハウジング１３の端面部２４に当接しており、それにより、プラグ側固定金属部材１５の側端部分２０に形成された係合支持部２１を貫通する端部１９を回動軸とした弾性可動係止部材１８の回動が阻止されている。
【００３４】
図３（斜視図）及び図４（平面図）は、本願発明に係る配線基板連結装置の一例を、図１及び図２に示されるプラグコネクタ１１と共に構成する、第２のコネクタを成すリセプタクルコネクタ３１を、それが取り付けられた第２の配線基板３２を仮想線をもってあらわすもとで示し、また、図５（底面図）は、リセプタクルコネクタ３１及びリセプタクルコネクタ３１が取り付けられた第２の配線基板３２を示す。第２の配線基板３２については、図３において下方に向いた面を下面といい、図３において上方に向いた面を上面ということとする。
【００３５】
図３に示されるように、リセプタクルコネクタ３１は、第２の配線基板３２の下面に取り付けられている。そして、図３〜図５に示されるように、リセプタクルコネクタ３１は、合成樹脂等の絶縁材料によって形成された絶縁ハウジング３４（第２の絶縁ハウジング）を備えており、絶縁ハウジング３４は第２の配線基板３２の下面に固定されている。絶縁ハウジング３４には、各々が弾性を有した導電性板材により形成された屈曲帯状部材を成す複数のリセプタクル側コンタクト３５（第２のコンタクト）が、夫々が絶縁ハウジング３４の長手方向に伸びる相互対向する２個の列を成して配列配置されている。複数のリセプタクル側コンタクト３５の各々には、第２の配線基板３２の下面に設けられた配線端子部（図示が省略されている。）に接続される基板接続部３５ａと、第１のコネクタを成すプラグコネクタ１１に備えられたプラグ側コンタクト１４に当接する接触接続部３５ｂとが、夫々帯状部材の両端部分を成すものとして設けられている。
【００３６】
また、絶縁ハウジング３４の長手方向の両端部分を成す一対の端部３６の夫々には、リセプタクル側固定金属部材３７（第２の固定金属部材）が固着されている。リセプタクル側固定金属部材３７には、各々が第２の配線基板３２の下面に連結される複数の基板連結部３８が設けられている。そして、一対のリセプタクル側固定金属部材３７の夫々は、複数の基板連結部３８が第２の配線基板３２の下面に連結されるとき、それによって、絶縁ハウジング３４を第２の配線基板１２の下面に固定する。
【００３７】
一対のリセプタクル側固定金属部材３７の夫々における側端部分３９には、プラグコネクタ１１に備えられた弾性可動係止部材１８の端部１９が係合する状態をとる係合部４０が形成されている。この係合部４０は、プラグ側固定金属部材１５の側端部分２０によって支持された弾性可動係止部材１８の端部１９が係合する切欠き部によって構成されており、斯かる係合部４０に弾性可動係止部材１８の端部１９が係合する際には、弾性可動係止部材１８の端部１９が、リセプタクル側固定金属部材３７の側端部分３９に形成された切欠き部を絶縁ハウジング３４の長手方向に沿ってリセプタクル側固定金属部材３７の外側から内側に向かって貫通するものとされる。そして、弾性可動係止部材１８の一対の端部１９の夫々が、一対のリセプタクル側固定金属部材３７の夫々における側端部分３９に形成された係合部４０を、絶縁ハウジング３４の長手方向に沿ってリセプタクル側固定金属部材３７の外側から内側に向かって貫通する状態は、弾性可動係止部材１８の端部１９をリセプタクル側固定金属部材３７の外側から内側へと付勢する弾性可動係止部材１８が具える弾性によって、安定に維持される。また、係合部４０を構成する切欠き部は絶縁ハウジング３４の長手方向に直交する方向に伸びるものとされており、それにより、係合部４０を絶縁ハウジング３４の長手方向に沿ってリセプタクル側固定金属部材３７の外側から内側に向かって貫通した弾性可動係止部材１８の端部１９は、係合部４０を構成する切欠き部による案内を受けて絶縁ハウジング３４の長手方向に直交する方向に移動可能とされている。その結果、弾性可動係止部材１８の全体が、絶縁ハウジング３４に対してその長手方向に直交する方向に移動可能とされていることになる。
【００３８】
なお、一対のリセプタクル側固定金属部材３７の夫々における側端部分３９に形成される係合部４０は、上述の絶縁ハウジング３４の長手方向に直交する方向に伸びる切欠き部に代えて、絶縁ハウジング３４の長手方向に直交する方向に伸びる長孔を形成する透孔によって構成されてもよい。
【００３９】
このようなもとで、第２の配線基板３２におけるリセプタクルコネクタ３１の絶縁ハウジング３４が固定された下面が第１の配線基板１２におけるプラグコネクタ１１の絶縁ハウジング１３が固定された上面に対向するものとされて、第２の配線基板３２が第１の配線基板１２に対面近接して重ね合わせられるとき、本願発明に係る配線基板連結装置の一例を構成する第１のコネクタ及び第２のコネクタを成すプラグコネクタ１１及びリセプタクルコネクタ３１が、リセプタクルコネクタ３１が備える絶縁ハウジング３４をプラグコネクタ１１が備える絶縁ハウジング１３に係合させて、相互係合状態をとる。
【００４０】
その際には、先ず、図６（第２の配線基板３２が仮想線によってあらわされている。）に示されるように、第１の配線基板１２を伴ったプラグコネクタ１1 と第２の配線基板３２を伴ったリセプタクルコネクタ３１とが相互対向配置される。このとき、リセプタクルコネクタ３１の絶縁ハウジング３４が、プラグコネクタ１１の絶縁ハウジング１３に、その長手方向が絶縁ハウジング１３の長手方向と平行となるようにして対向せしめられ、リセプタクルコネクタ３１の絶縁ハウジング３４に配列配置された複数のリセプタクル側コンタクト３５が、プラグコネクタ１１の絶縁ハウジング１３に配列配置された複数のプラグ側コンタクト１４に夫々対応する位置をとるものとされる。
【００４１】
次に、第２の配線基板３２が、リセプタクルコネクタ３１の絶縁ハウジング３４が固定された下面を、第１の配線基板１２における、プラグコネクタ１１の絶縁ハウジング１３が固定された上面に近接させる位置をとって、第２の配線基板３２が第１の配線基板１２に対面近接して重ね合わせられると、図７（斜視図），図８（第２の配線基板３２が仮想線によってあらわされた斜視図），図９（第２の配線基板３２の図示が省略された平面図）及び図１０（正面図）に示されるように、リセプタクルコネクタ３１の絶縁ハウジング３４がプラグコネクタ１１の絶縁ハウジング１３と各々の長手方向を一致させたもとでの係合状態をとり、第２の配線基板３２を伴ったリセプタクルコネクタ３１と第１の配線基板１２を伴ったプラグコネクタ１１とが相互係合状態におかれる。
【００４２】
斯かる際には、図１０におけるXI−XI線断面をあらわす図１１に示されるように、リセプタクルコネクタ３１の絶縁ハウジング３４に配列配置された複数のリセプタクル側コンタクト３５における接触接続部３５ｂがプラグコネクタ１１の絶縁ハウジング１３に配列配置された複数のプラグ側コンタクト１４における接触接続部１４ｂに夫々接触接続される。それにより、複数のリセプタクル側コンタクト３５における基板接続部３５ａが夫々接続された第２の配線基板３２に設けられた複数の配線端子部が、複数のリセプタクル側コンタクト３５及び複数のプラグ側コンタクト１４を介して、複数のプラグ側コンタクト１４における基板接続部１４ａが夫々接続された第１の配線基板１２に設けられた複数の配線端子部に夫々連結され、第１の配線基板１２と第２の配線基板３２とが電気的に相互連結される。
【００４３】
また、このとき、図９における XII−XII 線断面をあらわす図１２及び図１２における矩形枠Ｂ内を拡大図示する図１３に示されるように、プラグコネクタ１１におけるプラグ側固定金属部材１５の側端部分２０に形成された係合支持部２１を、プラグコネクタ１１の絶縁ハウジング１３の長手方向に沿ってプラグ側固定金属部材１５の外側から内側に向かって貫通し、それによりプラグ側固定金属部材１５の側端部分２０によって支持された、弾性可動係止部材１８の端部１９が、リセプタクルコネクタ３１におけるリセプタクル側固定金属部材３７の側端部分３９に形成された係合部４０を、リセプタクルコネクタ３１の絶縁ハウジング３４の長手方向に沿ってリセプタクル側固定金属部材３７の外側から内側に向かって貫通するものとされる。即ち、プラグコネクタ１１における弾性可動係止部材１８の一対の端部１９が、リセプタクルコネクタ３１における一対のリセプタクル側固定金属部材３７の側端部分３９に形成された一対の係合部４０に夫々係合するのであり、それにより、リセプタクルコネクタ３１の絶縁ハウジング３４に対する係止状態をとる。
【００４４】
図８における矩形枠Ａ内を拡大図示する図１４に示されるように、プラグコネクタ１１におけるプラグ側固定金属部材１５の側端部分２０に形成された、プラグコネクタ１１の絶縁ハウジング１３の長手方向に直交する方向に伸びた係合支持部２１には、第１の位置決め部２１ａと第２の位置決め部２１ｂとが、係合支持部２１が伸びる方向に沿って配列配置されて設けられている。そして、係合支持部２１を貫通した弾性可動係止部材１８の端部１９は、係合支持部２１に形成された第１の位置決め部２１ａに係合した状態におかれている。それにより、係合支持部２１に形成された第１の位置決め部２１ａが、リセプタクル側固定金属部材３７の側端部分３９に形成された係合部４０に係合した弾性可動係止部材１８の端部１９を位置決めすることになる。
【００４５】
図８における矩形枠Ａ内及びそれを拡大して示す図１４には、プラグコネクタ１１との係合状態におかれたリセプタクルコネクタ３１の絶縁ハウジング３４における長手方向の両端部分を成す一対の端部３６のうちの一方における、弾性可動係止部材１８の端部１９のリセプタクル側固定金属部材３７の側端部分３９に形成された係合部４０との係合状態を示しているが、斯かる際には、プラグコネクタ１１との係合状態におかれたリセプタクルコネクタ３１の絶縁ハウジング３４における長手方向の両端部分を成す一対の端部３６のうちの他方においても、係合支持部２１には、第１の位置決め部と第２の位置決め部とが、当該係合支持部２１が伸びる方向に沿って配列配置されて設けられていて、弾性可動係止部材１８の端部１９のリセプタクル側固定金属部材３７の側端部分３９に形成された係合部４０との係合状態は、図８における矩形枠Ａ内及びそれを拡大して示す図１４に示されている係合状態と同様のものとされている。
【００４６】
なお、係合支持部２１に形成された第２の位置決め部２１ｂは、後述されるようにしてリセプタクル側固定金属部材３７の側端部分３９に形成された係合部４０との係合を止めた弾性可動係止部材１８の端部１９について、それを位置決めするものとして設けられている。
【００４７】
また、図１４に示されるように、絶縁ハウジング３４における両端部分を成す一対の端部３６の夫々には、リセプタクル側固定金属部材３７の側端部分３９に形成された係合部４０内における、プラグ側固定金属部材１５の側端部分２０に形成された係合支持部２１における第１の位置決め部２１ａと第２の位置決め部２１ｂとの間に対応する位置に、傾斜面４１ａを有したカム部４１が設けられている。カム部４１は、後述されるようにして弾性可動係止部材１８の端部１９が絶縁ハウジング１３の長手方向に直交する方向に移動せしめられるとき、弾性可動係止部材１８の端部１９に当接係合する。なお、上述のようにして絶縁ハウジング３４における両端部分を成す一対の端部３６の夫々に設けられたカム部４１に代えて、リセプタクル側固定金属部材３７の側端部分３９に、例えば、それに形成された係合部４０内においてプラグ側固定金属部材１５の側端部分２０に形成された係合支持部２１における第１の位置決め部２１ａと第２の位置決め部２１ｂとの間に対応する位置をとるものとされた、上述のカム部４１に相当するカム部が設けれてもよい。このようにリセプタクル側固定金属部材３７の側端部分３９に設けられたカム部（上述のカム部４１に相当するカム部）は、金属部材により形成されたものとされるので、弾性可動係止部材１８の端部１９に対する当接係合が繰り返されても、摩耗を生じ難いものとなる。
【００４８】
上述のようにして、プラグコネクタ１１における弾性可動係止部材１８の一対の端部１９が、リセプタクルコネクタ３１における一対のリセプタクル側固定金属部材３７の側端部分３９に形成された一対の係合部４０に夫々係合して、リセプタクルコネクタ３１の絶縁ハウジング３４に対する係止状態をとることにより、リセプタクルコネクタ３１の絶縁ハウジング３４のそれが係合したプラグコネクタ１１の絶縁ハウジング１３からの不所望な離脱が阻止される。
【００４９】
その後、図１５（第２の配線基板３２の図示が省略された平面図）に示されるように、リセプタクルコネクタ３１の絶縁ハウジング３４がプラグコネクタ１１の絶縁ハウジング１３との係合状態をとり、第２の配線基板３２を伴ったリセプタクルコネクタ３１と第１の配線基板１２を伴ったプラグコネクタ１１とが相互係合状態におかれたもとで、プラグコネクタ１１における弾性可動係止部材１８が、絶縁ハウジング１３に対して矢印Ｐによって示される絶縁ハウジング１３の長手方向に直交する方向に移動せしめられると、それに伴って、各々がプラグコネクタ１１におけるプラグ側固定金属部材１５の側端部分２０に形成された係合支持部２１を貫通する状態をもってプラグ側固定金属部材１５の側端部分２０により支持され、リセプタクルコネクタ３１におけるリセプタクル側固定金属部材３７の側端部分３９に形成された係合部４０に係合した、弾性可動係止部材１８の両端部分をなす一対の端部１９の夫々が、絶縁ハウジング１３に対してその長手方向に直交する方向に移動せしめられる。
【００５０】
斯かる際における弾性可動係止部材１８の端部１９の絶縁ハウジング１３の長手方向に直交する方向における移動は、プラグコネクタ１１におけるプラグ側固定金属部材１５の側端部分２０に絶縁ハウジング１３の長手方向に直交する方向に伸びるものとして形成された係合支持部２１による案内を受けるもとで、リセプタクルコネクタ３１におけるリセプタクル側固定金属部材３７の側端部分３９に形成された係合部４０内を変位するものとして行われる。そして、係合部４０内を変位する弾性可動係止部材１８の端部１９に、係合部４０内に設けられたカム部４１が当接係合し、弾性可動係止部材１８の端部１９が、カム部４１が有する傾斜面４１ａに当接しつつ変位する。
【００５１】
その際、カム部４１が有する傾斜面４１ａは、係合部４０内を変位する弾性可動係止部材１８の端部１９を、絶縁ハウジング１３の長手方向に沿ってリセプタクル側固定金属部材３７の側端部分３９の外方へと弾性変位させる。それにより、図１６及び図１７に示されるように、弾性可動係止部材１８の端部１９は、カム部４１が有する傾斜面４１ａを乗り越えたときには、リセプタクル側固定金属部材３７の側端部分３９に形成された係合部４０との係合を止めた状態におかれ、その後、絶縁ハウジング１３の長手方向に直交する方向の移動を停止する。
【００５２】
即ち、弾性可動係止部材１８の一対の端部１９が絶縁ハウジング３４に対する係止状態をとるもとで、弾性可動係止部材１８が絶縁ハウジング１３の長手方向に直交する方向に移動せしめられるときには、リセプタクルコネクタ３１における一対のリセプタクル側固定金属部材３７の側端部分３９に形成された一対の係合部４０内に夫々設けられた一対のカム部４１が、弾性可動係止部材１８の一対の端部１９に夫々当接係合してその端部１９を係合部４０との係合を止めさせるべく弾性変位させるのである。
【００５３】
そして、図１６に示されるように、リセプタクルコネクタ３１におけるリセプタクル側固定金属部材３７の側端部分３９に形成された係合部４０との係合を止めた弾性可動係止部材１８の端部１９は、プラグコネクタ１１におけるプラグ側固定金属部材１５の側端部分２０に形成された支持部２１における第２の位置決め部２１ｂに係合した状態におかれる。それにより、係合支持部２１に形成された第２の位置決め部２１ｂが、リセプタクル側固定金属部材３７の側端部分３９に形成された係合部４０との係合を止めた弾性可動係止部材１８の端部１９を位置決めすることになる。
【００５４】
上述のようにして、プラグコネクタ１１における弾性可動係止部材１８の一対の端部１９の夫々が、リセプタクルコネクタ３１におけるリセプタクル側固定金属部材３７の側端部分３９に形成された係合部４０との係合を止めるものとされることにより、リセプタクルコネクタ３１の絶縁ハウジング３４に対する係止状態を解除することになり、リセプタクルコネクタ３１の絶縁ハウジング３４にプラグコネクタ１１の絶縁ハウジング１３との係合を無理なく解除する状態をとらせて、リセプタクルコネクタ３１とプラグコネクタ１１との相互係合状態を解除することができる状態がとられる。
【００５５】
上述のようなプラグコネクタ１１とリセプタクルコネクタ３１とを含んで構成される本願発明に係る配線基板連結装置の一例にあっては、プラグコネクタ１１とリセプタクルコネクタ３１とが相互係合した状態におかれ、リセプタクルコネクタ３１の絶縁ハウジング３４がプラグコネクタ１１の絶縁ハウジング１３との係合状態をとり、絶縁ハウジング３４に配列配置された複数のリセプタクル側コンタクト３５が絶縁ハウジング１３に配列配置された複数のプラグ側コンタクト１４に夫々接触接続されたとき、プラグコネクタ１１が備える弾性可動係止部材１８の両端部を成す一対の端部１９が絶縁ハウジング３４に対する係止状態をとり、それにより、リセプタクルコネクタ３１における絶縁ハウジング３４のプラグコネクタ１１における絶縁ハウジング１３からの不所望な離脱が阻止される。また、弾性可動係止部材１８の両端部を成す一対の端部１９が絶縁ハウジング３４に対する係止状態をとるもとで、弾性可動係止部材１８が絶縁ハウジング１３の長手方向に直交する方向に移動せしめられたとき、弾性可動係止部材１８の両端部を成す一対の端部１９が絶縁ハウジング３４に対する係止状態を解除する。それにより、リセプタクルコネクタ３１における絶縁ハウジング３４が、プラグコネクタ１１における絶縁ハウジング１３から離脱され得るものとされる。
【００５６】
プラグコネクタ１１が備える弾性可動係止部材１８は、絶縁ハウジング１３の長手方向に沿って伸び、両端部を成す一対の端部１９が絶縁ハウジング１３における長手方向の両端部分に配された一対のプラグ側固定金属部材１５の側端部分２０により夫々支持されて、絶縁ハウジング１３の長手方向に直交する方向に移動可能とされており、その一対の端部１９は、絶縁ハウジング３４が絶縁ハウジング１３との係合状態をとるとき、絶縁ハウジング３４における長手方向の両端部分に配された一対のリセプタクル側固定金属部材３７の側端部分３９に形成された一対の係合部４０に夫々係合する。弾性可動係止部材１８の両端部を成す一対の端部１９が一対のリセプタクル側固定金属部材３７の側端部分３９に形成された一対の係合部４０に夫々係合した状態は、弾性可動係止部材１８が備える弾性によって解除されることなく維持され、それにより、弾性可動係止部材１８の両端部を成す一対の端部１９による絶縁ハウジング３４に対する係止状態が安定に維持される。その後、弾性可動係止部材１８の両端部を成す一対の端部１９がリセプタクル側固定金属部材３７の側端部分３９に形成された一対の係合部４０に夫々係合したもとで、弾性可動係止部材１８が絶縁ハウジング１３の長手方向に直交する方向に移動せしめられたとき、弾性可動係止部材１８の両端部を成す一対の端部１９がリセプタクル側固定金属部材３７の側端部分３９に形成された一対の係合部４０との係合を止める。それにより、弾性可動係止部材１８の両端部を成す一対の端部１９による絶縁ハウジング３４に対する係止状態が解除される。
【００５７】
従って、プラグコネクタ１１とリセプタクルコネクタ３１とを含んで構成される本願発明に係る配線基板連結装置の一例によれば、プラグコネクタ１１が備える弾性可動係止部材１８と、一対のプラグ側固定金属部材１５により支持された弾性可動係止部材１８の両端部を成す一対の端部１９が夫々係合するリセプタクルコネクタ３１における一対のリセプタクル側固定金属部材３７に形成された一対の係合部４０とにより、プラグコネクタ１１の絶縁ハウジング１３とリセプタクルコネクタ３１の絶縁ハウジング３４との相互係合状態を極めて安定かつ堅固に維持することができるとともに、弾性可動係止部材１８を絶縁ハウジング１３の長手方向に直交する方向に移動させるだけの極めて簡単で容易な操作によって、絶縁ハウジング３４を絶縁ハウジング１３から無理なく離脱させることができる。しかも、プラグコネクタ１１が備える弾性可動係止部材１８が、絶縁ハウジング１３の長手方向に沿って伸び、両端部を成す一対の端部１９が絶縁ハウジング１３における長手方向の両端部分に配された一対のプラグ側固定金属部材１５の側端部分２０により夫々支持されて、絶縁ハウジング１３の長手方向に直交する方向に移動可能なものとされることにより、絶縁ハウジング１３が固定される第１の配線基板１２及び絶縁ハウジング３４が固定される第２の配線基板３２における相互対接面の夫々に直交する方向の厚み寸法を低減することができ、第１の配線基板１２と第２の配線基板３２との間に配されるプラグコネクタ１１及びリセプタクルコネクタ３１を含んだ装置全体の薄型化を図ることができることになる。
【産業上の利用可能性】
【００５８】
以上のような本願発明に係る配線基板連結装置は、第１の配線基板に固定される第１の絶縁ハウジングを有した第１のコネクタと第２の配線基板に固定される第２の絶縁ハウジングを有した第２のコネクタとを含んで構成され、第１のコネクタの第１の絶縁ハウジングと第２のコネクタの第２の絶縁ハウジングとが相互係合した状態のもとで、第２の絶縁ハウジングの第１の絶縁ハウジングからの不所望な離脱を阻止する係止手段を備え、斯かる手段により第１の絶縁ハウジングと第２の絶縁ハウジングとの相互係合状態を極めて安定かつ堅固に維持することができるとともに、極めて簡単で容易な操作により、第２の絶縁ハウジングを第１の絶縁ハウジングから無理なく離脱させることができ、しかも、第１及び第２の配線基板における相互対接面の夫々に直交する方向の厚み寸法の低減を図ることができるものとして、様々な電子機器等に広く適用され得るものである。
【符号の説明】
【００５９】
１1 ・・・プラグコネクタ（第１のコネクタ），  １２・・・第１の配線基板，  １３，３４・・・絶縁ハウジング（第１の絶縁ハウジング，第２の絶縁ハウジング），  １４・・・プラグ側コンタクト（第１のコンタクト），  １４ａ，３５ａ・・・基板接続部，  １４ｂ，３５ｂ・・・接触接続部，  １５・・・プラグ側固定金属部材（第１の固定金属部材），  １６，３８・・・基板連結部，  １８・・・弾性可動係止部材，  １９・・・（弾性可動係止部材１８の）端部，  ２０・・・（プラグ側固定金属部材１５の）側端部分，  ２１・・・係合支持部，  ２１ａ・・・第１の位置決め部，  ２１ｂ・・・第２の位置決め部，  ２２・・・支持部，  ２３・・・（弾性可動係止部材１８の）中間部分，  ２４・・・（絶縁ハウジング１３の）端面部，  ３１・・・リセプタクルコネクタ（第２のコネクタ），  ３２・・・第２の配線基板，  ３５・・・リセプタクル側コンタクト（第２のコンタクト），  ３６・・・（絶縁ハウジング３４の）端部，  ３７・・・リセプタクル側固定金属部材（第２の固定金属部材），  ３９・・・（リセプタクル側固定金属部材３７の）側端部分，  ４０・・・係合部，  ４１・・・カム部，  ４１ａ・・・傾斜面
【図１】
2015076140.tif 000003
【図２】
2015076140.tif 000004
【図３】
2015076140.tif 000005
【図４】
2015076140.tif 000006
【図５】
2015076140.tif 000007
【図６】
2015076140.tif 000008
【図７】
2015076140.tif 000009
【図８】
2015076140.tif 000010
【図９】
2015076140.tif 000011
【図１０】
2015076140.tif 000012
【図１１】
2015076140.tif 000013
【図１２】
2015076140.tif 000014
【図１３】
2015076140.tif 000015
【図１４】
2015076140.tif 000016
【図１５】
2015076140.tif 000017
【図１６】
2015076140.tif 000018
【図１７】
2015076140.tif 000019